(57)【要約】【課題】アース線から制御基板のリード線にノイズが伝達されるのを防止して制御基板の誤作動が発生するのを防止することができるとともに、１種類のアース線を用いて安定した接地を行うことができる低コストな遊技機の接地装置および遊技機を提供する。【解決手段】主基板１００、賞球制御基板１０１、ボールガイド１３０、賞球払い出し通路等に設けられた金属プレート、電源等の接地対象部材から延在するアース線１３１、１３３、１３５、１３６、１３７を金属プレート１２０にまとめて取付け、この金属プレート１２０をアース線１３９で枠体１の接地部１ｂに接続するようにした。【選択図】　　　図５
2004033416.tif 000002
【特許請求の範囲】
【請求項１】
遊技機に設けられた接地対象となる複数の接地対象部材を接地する接地装置であって、
遊技盤を支持する枠体に設けられた板状の金属部材を有し、前記金属部材に前記複数の接地対象部材から延在する複数のアース線を接続し、前記金属部材を前記枠体の任意の位置に接地するようにしたことを特徴とする遊技機の接地装置。
【請求項２】
前記枠体の前面に前記遊技盤が設けられるとともに、前記枠体の背面に前記遊技盤を制御する制御基板が設けられ、前記金属部材は、前記遊技盤と枠体の間に位置することを特徴とする請求項１記載の遊技機の接地装置。
【請求項３】
接地対象となる複数の接地対象部材を接地する接地装置を備えた遊技機であって、
前記接地装置は、遊技盤を支持する枠体に設けられた板状の金属部材を有し、前記金属部材は、前記複数の接地対象部材から延在する複数のアース線が接続され、前記金属部材が前記枠体の任意の位置に接地されることを特徴とする遊技機。
【発明の詳細な説明】
【０００１】
【発明の属する技術分野】
本発明は、遊技機の接地装置および遊技機に関し、詳しくは、制御基板等に接地対象となる部材から静電気の影響を与えるのを防止することができる遊技機の接地装置および遊技機に関する。
【０００２】
【従来の技術】
パチンコ遊技機に代表される遊技機においては、パチンコ遊技機を制御する制御基板が静電気の影響を受けて誤作動が発生するのを防止するために、制御基板に設けられたシールド用の金属プレートにアース線を取付け、このアース線を介して制御基板を接地して制御基板に静電気の影響を与えないようにしている。
【０００３】
また、遊技球を遊技盤の遊技領域に供給するために、予め、遊技球を上皿にまとめて投入しておくようにしているが、この上皿に遊技球を大量に投入しておくと、遊技球同士が摩擦したり、上皿と遊技球が摩擦したり等して遊技球に静電気が発生することがある。
【０００４】
このため、アース線が取付けられたボールガイドを上皿に設け、このボールガイド上に遊技球を整列させることにより、遊技球に発生した静電気をボールガイドを介して接地することにより、遊技球に帯電した静電気が遊技球を検知する各種検知センサ等を介して制御基板に流れるのを防止している。
【０００５】
また、遊技機には、上述した接地対象部材の他にも接地対象となる高圧電源や種々の電子機器が設けられている上に、遊技球が接触する通路（例えば、賞球払い出し通路等）も接地対象となるため、これらの電子機器や通路にもシールド用の金属プレートを設け、この金属プレートをアース線を介して接地することにより、高圧電源や電子機器が静電気の影響を受けないように工夫されている。
【０００６】
【発明が解決しようとする課題】
しかしながら、このような従来のパチンコ遊技機にあっては、複数の接地対象となる部材にアース線を取付け、複数のアース線を、例えば、接地対象部材からフレームの接地部に延在させているため、アース線の配線距離が長くなる上にレイアウトも複雑になってしまう。
【０００７】
このため、アース線が制御基板の制御用のリード線や信号線と干渉し易くなり、アース線からリード線にノイズが乗ってしまい、制御基板の誤作動が発生するおそれがあった。
【０００８】
また、接地対象部材の帯電量に応じた断面積を有するアース線を用いる必要があるため、アース線の種類が増大してしまう。具体的には、接地対象部材の帯電量が大きい場合には大きい断面積のアース線を用い、接地対象部材の帯電量が小さい場合には小さい断面積のアース線を用いることにより、接地対象部材の帯電量に応じて電気的に安定した接地を行う必要がある。
【０００９】
このため、従来は異なる断面積を有するアース線を用いる必要があり、アース線の製造コストが増大してしまう。
【００１０】
本発明は、アース線から制御基板のリード線にノイズが伝達されるのを防止して制御基板の誤作動が発生するのを防止することができるとともに、１種類のアース線を用いて安定した接地を行うことができる低コストな遊技機の接地装置および遊技機を提供することを目的としている。
【００１１】
【課題を解決するための手段】
本発明の遊技機の接地装置は、上記課題を解決するために、遊技機に設けられた接地対象となる複数の接地対象部材を接地する接地装置であって、遊技盤を支持する枠体に設けられた板状の金属部材を有し、前記金属部材に前記複数の接地対象部材から延在する複数のアース線を接続し、前記金属部材を前記枠体の任意の位置に接地するようにしたことを特徴としている。
【００１２】
このような構成により、複数の接地対象部材から延在する複数のアース線を金属部材にまとめて取付け、この金属部材を枠体の任意の位置に接地しているため、アース線の配線距離を短くすることができるとともにレイアウトを簡素化することができる。
【００１３】
このため、アース線と制御基板のリード線とが干渉しないようにして、アース線から制御基板のリード線にノイズが伝達されるのを防止することができ、制御基板の誤作動が発生するのを防止することができる。
【００１４】
また、アース線を板状の金属部材に接続したため、１種類のアース線を用いて接地対象部材を電気的に安定して接地することができ、低コストな遊技機を提供することができる。
【００１５】
具体的には、アース線のみで接地を行う従来のものは、接地対象部材の帯電量が大きい場合には大きい断面積のアース線を用い、接地対象部材の帯電量が小さい場合には小さい断面積のアース線を用いて接地対象部材の帯電量に応じて電気的に安定した接地を行う必要がある。
【００１６】
本発明は、板状の金属部材に短いアース線に接続することができるため、１種類のアース線を用いて接地対象部材の帯電量に係わらずに安定した接地を行うことができる。
【００１７】
また、本発明の遊技機の接地装置は、上記課題を解決するために、前記枠体の前面に前記遊技盤が設けられるとともに、前記枠体の背面に前記遊技盤を制御する制御基板が設けられ、前記金属部材は、前記遊技盤と枠体の間に位置することを特徴としている。
【００１８】
このような構成により、金属部材を遊技盤と枠体の間に設け、前記制御基板と干渉しないようにしたので、アース線を制御基板のリード線と干渉しないようにすることができる。
【００１９】
また、本発明の遊技機は、上記課題を解決するために、接地対象となる複数の接地対象部材を接地する接地装置を備えた遊技機であって、前記接地装置は、遊技盤を支持する枠体に設けられた板状の金属部材を有し、前記金属部材は、前記複数の接地対象部材から延在する複数のアース線が接続され、前記金属部材が前記枠体の任意の位置に接地されることを特徴としている。
【００２０】
このような構成により、複数の接地対象部材から延在する複数のアース線を金属部材にまとめて取付け、この金属部材を枠体の任意の位置に接地しているため、アース線の配線距離を短くすることができるとともにレイアウトを簡素化することができる。
【００２１】
このため、アース線と制御基板のリード線とが干渉しないようにして、アース線から制御基板のリード線にノイズが伝達されるのを防止することができ、制御基板の誤作動が発生するのを防止することができる。
【００２２】
また、アース線を板状の金属部材に接続したため、上述したように１種類のアース線を用いて接地対象部材を電気的に安定して接地することができ、低コストな遊技機を提供することができる。
【００２３】
【発明の実施の形態】
以下、本発明の好ましい実施形態を図面に基づいて説明する。
図１〜図７は本発明に係る接地装置を備えた遊技機の表示装置の一実施形態を示す図であり、本発明をパチンコ遊技機に適用した場合を示している。
【００２４】
まず、このパチンコ遊技機の全体の概略構成について説明すると、図１、図２において、パチンコ遊技機１０はベースとなる枠体１が設けられており、この枠体１には開閉扉２が開閉自在に設けられている。
【００２５】
また、枠体１の前面には遊技盤１１が着脱可能に取り付けられており、この遊技盤１１は開閉扉２に設けられた透明な窓板２ａに覆われた略円形の遊技領域１１ａを形成している。
【００２６】
また、遊技盤１１の下部には遊技球を収容する上皿３、下皿４および遊技者によって回動操作されるハンドル５が設けられている。
【００２７】
上皿３に収納された遊技球は遊技盤１１の背面に１球毎に供給されるようになっており、ハンドル５の操作量に応じて枠体１に設けられた遊技球発射装置６が作動することにより、遊技盤１１の背面に供給された遊技球は遊技球発射装置６によって遊技領域１１ａ内に順次発射されるようになっている。
【００２８】
また、遊技盤１１には、図３に示すようにその表面の遊技領域１１ａを取り囲むとともに遊技球の発射通路１２を形成する内外のガイドレール１２ａ、１２ｂが設けられており、遊技領域１１ａの略中央部上側寄りには図柄表示装置１３が装着されている。
【００２９】
また、遊技盤１１の遊技領域１１ａのうち図柄表示装置１３の周囲には、それぞれ入賞口を構成する始動入賞口１４、変動始動入賞口１５、一般入賞口１６Ａ、１６Ｂ、１７Ａ、１７Ｂ、１８Ａ、１８Ｂ、大入賞口１９と、通過ゲート２０Ａ、２０Ｂと、左右の風車２１Ａ、２１Ｂと、左右の装飾用ランプ２２Ａ、２２Ｂとがそれぞれ設けられている。
【００３０】
また、発射通路１２の上端部は遊技盤１１の遊技領域１１ａの天側左方に位置しており、遊技領域１１ａ内に発射された遊技球は遊技領域１１ａに配された多数の遊技くぎ（図示略）に弾かれながら、例えば図柄表示装置１３の上方から左右一方側に流下する。
【００３１】
そして、通過ゲート２０Ａ、２０Ｂを通過するか、そのまま流下するか、あるいは、図柄表示装置１３の側方で風車２１Ａまたは風車２１Ｂに当接して流下し、始動入賞口１４、変動始動入賞口１５、袖入賞口１６Ａ、１６Ｂ、１７Ａ、１７Ｂ、１８Ａ、１８Ｂの何れかに入るか、あるいは、それらから外れて遊技領域１１ａの最下端に設けられたアウト口２３に入る。
【００３２】
また、変動始動入賞口１５は可動片１５ａ、１５ｂを左右方向に開閉動作させるチューリップ式のものから構成されており、その入口幅を拡大縮小することができるようになっている。
【００３３】
また、通過ゲート２０Ａ、２０Ｂには図示しない通過球センサが設けられており、通下球センサは通過ゲート２０Ａまたは２０Ｂを通過する遊技球を検知したとき、図４に示すように枠体１の背面に設けられた主基板（制御基板、接地対象部材）１００に信号を出力するようになっている。
【００３４】
主基板１００はこの信号に基づいて、例えば、図柄表示装置１３の上部に設けられた公知の普通図柄表示用ＬＥＤに２色交互点灯の点滅による普通図柄変動表示を実行させるとともに、所定色のＬＥＤでその変動が停止したときに変動始動入賞口１５の可動片１５ａ、１５ｂを作動して入口幅を拡大するようになっている。
【００３５】
また、始動入賞口１４、１５、一般入賞口１６Ａ、１６Ｂ、１７Ａ、１７Ｂ、１８Ａ、１８Ｂにはそれぞれ遊技球を検知する図示しない遊技球検知センサが設けられており、この遊技球検知センサは始動入賞口１４、１５、一般入賞口１６Ａ、１６Ｂ、１７Ａ、１７Ｂ、１８Ａ、１８Ｂに遊技球が入賞したときに遊技球の検知情報を主基板１００に出力するようになっている。
【００３６】
主基板１００はこの検知情報に基づいて賞球制御基板（制御基板、接地対象部材）１０１に賞球払い出し指令信号を出力するようになっており、賞球制御基板１０１はこの信号に基づいて入賞した１個の遊技球に対して所定数の賞球（景品球）を払い出すようになっている。また、この賞球制御基板１０１は主基板１００から出力された球発射指令信号に応じて遊技球発射装置６により遊技球を発射するようになっている。
【００３７】
なお、主基板１００や賞球制御基板１０２は支持部材１１０に搭載されており、この支持部材１１０がフレーム１の背面に取付けられている。
【００３８】
また、図柄表示装置１３は図柄変動部材としての表示画面を備えており、この表示画面２４は画像信号入力に基づいて任意の画像を表示するもので、例えば、液晶ディスプレイ、ＣＲＴ（陰極線管）またはプラズマディスプレイ等によって構成されている。なお、この図柄表示装置１３は図示しないリード線を介して主基板１００に接続されている。
【００３９】
また、表示画面２４は、遊技球の始動入賞口１４、１５への入賞時に、予め定められた数字やマークなどの特別図柄をその画面上で変動表示するとともに、それら特別図柄を所定の停止態様で停止させるようになっている。
【００４０】
大入賞口１９は、この図柄表示装置１３での特別図柄の変動停止態様が特定の当り図柄の組合せを構成しているか否かに応じて作動し、アタッカーと呼ばれる開閉扉１９ａを前後方向に開閉しながら、最大開口幅の入賞口を形成するものである。
【００４１】
具体的には、図柄表示装置１３が特別図柄（左図柄Ｎ１、中図柄Ｎ２、右図柄Ｎ３）の変動を開始した後、左図柄Ｎ１、右図柄Ｎ３、中図柄Ｎ２の順に異なるタイミングで特別図柄Ｎ１〜Ｎ３を停止させ、その停止図柄の組合せが所定の賞態様（例えば、７、７、７のような同一図柄が揃う組合せ）となったとき、通常遊技と比較して遊技者に有利な特別遊技の状態、所謂、大当り遊技状態に移行し、大入賞口１９の開閉扉１９ａはその開放動作時間が所定時間に達するか、所定球数の入賞球が発生するまでを１回の周期として開放（開閉）動作され、その扉開放状態で遊技球を大入賞口１７内に導入するようになっている。
【００４２】
また、表示画面２４は、所定の条件で、いわゆるリーチ状態が発生する可能性が通常より高いことを予兆したり、大当たり信頼度（大当たりとなる確率）が非常に高いリーチ状態となることを予告したりする表示、所謂、演出（本実施形態では、表示画面２４の変動表示内容という）を行うようになっている。
【００４３】
ここで、リーチ状態とは、所定の賞態様が構成される直前の特別図柄の変動状態、最終停止図柄である中図柄Ｎ２を残して、第１停止図柄である左図柄Ｎ１と第２停止図柄である右図柄Ｎ３とが同一の数字または絵柄となって揃った状態をいう。また、当たり信頼度が非常に高いリーチ状態とは、前記所定の賞態様が構成される可能性が通常より数倍高いことを意味し、例えば信頼度１００％のプレミアムリーチがこれに相当する。なお、これらの表示画面２４の表示制御は主制御回路や表示画面制御回路等の主基板１００によって行なわれ、この主基板１００は賞球制御基板１０１等とリード線を介して接続されているが、本実施形態では、詳細の説明は略す。
次に、本実施形態の接地構造について説明する。
図５は遊技盤１１と支持部材１１０が未装着状態のフレーム１を示す図であり、このフレーム１の中央部には開口部１ａが形成され、この開口部１ａを挟んで遊技盤１１の背面と支持部材１１０が対向している。
【００４４】
また、フレーム１の開口部１ａの周縁には、図６に示す板状の金属部材であるプレート１２０が設けられており、このプレート１２０は遊技盤１１と枠体１の間に位置している。
【００４５】
また、このプレート１２０には段違いに形成されたアース線取付け部１２０ａ、１２０ｂを有しており、このアース線取付け部１２０ａ、１２０ｂにはアース線が取付けられるようになっている。
【００４６】
次に、この金属プレート１２０に取付けられるアース線を説明する。
図７は上皿３であり、この上皿３には板状のボールガイド（接地対象部材）１３０が設けられ、このボールガイド１３０上には遊技盤１１の背面に供給される遊技球Ｂが整列するようになっている。また、ボールガイド１３０にはアース線１３１が設けられており、このアース線１３１は、アース線取付け部１２０ａに取付けられている。
【００４７】
また、図４に示すように、主基板１００はシールド用の金属プレート１３２によって覆われており、この金属プレート１３２にはアース線１３３が取付けられ、このアース線１３３はアース線取付け部１２０ａに取付けられている。
【００４８】
また、賞球制御基板１０２にはシールド用の金属プレート１３４が設けられており、この金属プレート１３４にはアース線１３５が取付けられ、このアース線１３５はアース線取付け部１２０ａに取付けられている。
【００４９】
また、本実施形態では、遊技盤１１の背面に設けられた賞球払い出し通路や、始動入賞口１４、変動始動入賞口１５、一般入賞口１６Ａ、１６Ｂ、１７Ａ、１７Ｂ、１８Ａ、１８Ｂ、大入賞口１９等に連通する遊技盤１１裏面の遊技球案内通路にも金属プレート（接地対象部材）が設けられており、この金属プレートにも、アース線１３６（図示は１つ）が取付けられ、このアース線１３６はアース線取付け部１２０ｂに取付けられている。
【００５０】
また、図示しない電源にもアース線１３７が取付けられており、このアース線１３７はアース線取付け部１２０ｂに取付けられている。また、アース線はその他の接地対象部材にも取付けられており、この接地対象部材のアース線も金属プレート１２０に取付けられているが、図示省略する。
【００５１】
また、金属プレート１２０のアース線取付け部１２０ａにはアース線１３９が取付けられており、このアース線１３９はフレーム１の接地部１ｂに接続されている。そして、この接地部１ｂにもアース線１４０が取付けられており、このアース線１４０はパチンコ遊技機１０の外部に設けられた接地部に取付けられている。
【００５２】
本実施形態では、主基板１００、賞球制御基板１０１、ボールガイド１３０、賞球払い出し通路等に設けられた金属プレート、電源等の接地対象部材から延在するアース線１３１、１３３、１３５、１３６、１３７を金属プレート１２０にまとめて取付け、この金属プレート１２０をアース線１３９で枠体１の接地部１ｂに接続しているため、アース線１３１、１３３、１３５、１３６、１３７の配線距離を短くすることができるとともにレイアウトを簡素化することができる。
【００５３】
このため、アース線１３１等と主基板１００や賞球制御基板１０１のリード線とが干渉しないようにして、アース線１３１等から主基板１００や賞球制御基板１０１のリード線にノイズが伝達されるのを防止することができ、主基板１００や賞球制御基板１０１の誤作動が発生するのを防止することができる。
【００５４】
また、アース線１３１等を比較的広い断面積を有する金属プレート１２０に接続したため、１種類のアース線を用いて主基板１００等の接地対象部材を電気的に安定して接地することができる。
【００５５】
具体的には、従来のようにアース線のみで接地を行うものは、接地対象部材の帯電量が大きい場合には大きい断面積のアース線を用い、接地対象部材の帯電量が小さい場合には小さい断面積のアース線を用いて接地対象部材の帯電量に応じて電気的に安定した接地を行う必要がある。
【００５６】
本実施形態では、金属プレート１２０に短いアース線１３１等を接続することができるため、１種類のアース線を用いて接地対象部材の帯電量に係わらずに安定した接地を行うことができ、パチンコ遊技機１０の製造コストを低減することができる。
【００５７】
また、本実施形態では、枠体１の前面に遊技盤１１を設けるとともに、枠体１の背面に遊技盤１１を制御する主基板１１０や賞球制御基板１１０等を設け、金属プレート１２０を遊技盤１００と枠体１の間に位置させたため、アース線１３１等と主基板１００や賞球制御基板１０１とが干渉しないようにすることができ、アース線１３１等を主基板１００や賞球制御基板１０１のリード線と干渉しないようにすることができる。
【００５８】
【発明の効果】
本発明によれば、複数の接地対象部材から延在する複数のアース線を金属部材にまとめて取付け、この金属部材を枠体の任意の位置に接地しているため、アース線の配線距離を短くすることができるとともにレイアウトを簡素化することができる。
【００５９】
このため、アース線と制御基板のリード線とが干渉しないようにして、アース線から制御基板のリード線にノイズが伝達されるのを防止することができ、制御基板の誤作動が発生するのを防止することができる遊技機の接地装置および遊技機を提供することができる。
【００６０】
また、アース線を板状の金属部材に接続したため、１種類のアース線を用いて接地対象部材を電気的に安定して接地することができ、遊技機の製造コストを低減することができる遊技機の接地装置および遊技機を提供することができる。
【図面の簡単な説明】
【図１】本発明に係る接地装置を備えた遊技機の一実施形態を示す図であり、その接地装置を備えたパチンコ遊技機の正面図である。
【図２】一実施形態の開閉扉を開放した状態のパチンコ遊技機の正面図である。
【図３】一実施形態の遊技盤の正面図である。
【図４】一実施形態のパチンコ遊技機の背面図である。
【図５】一実施形態の遊技盤を取外して開閉扉を開放した状態のパチンコ遊技機の正面図である。
【図６】一実施形態の金属プレートの構成図であり、（ａ）はその正面図、（ｂ）は同図（ａ）のＡ方向矢視図、（ｃ）は同図（ａ）のＢ方向矢視図である。
【図７】一実施形態の制御上皿を示す図であり、（ａ）は上皿の上面図、（ｂ）はボールガイドを示す図である。
【符号の説明】
１　　枠体
５　　ボールガイド（接地対象部材）
１０　　パチンコ遊技機（遊技機）
１１　　遊技盤
１００　　主基板（制御基板、接地対象部材）
１０１　　賞球制御基板（制御基板、接地対象部材）
１２０　　金属プレート（金属部材、接地装置）
１３１、１３３、１３５、１３６、１３７　　アース線
【図１】
2004033416.tif 000003
【図２】
2004033416.tif 000004
【図３】
2004033416.tif 000005
【図４】
2004033416.tif 000006
【図５】
2004033416.tif 000007
【図６】
2004033416.tif 000008
【図７】
2004033416.tif 000009